(57)【要約】【課題】より広い範囲の相関色温度を再現しつつ発光効率の低下を抑えることができる、あるいは使用者の快適性を充足することができる光源ユニットおよび照明器具を提供する。【解決手段】実施形態によれば、３種類の白色光源と；制御部と；を具備する光源ユニットが提供される。前記３種類の白色光源は、相関色温度の定義域内に色度座標を有し下方を照射する。前記３種類の白色光源の相関色温度は、互いに異なる。前記制御部は、前記３種類の白色光源を種類ごとに調光制御可能である。【選択図】図３
2015170417.tif 000002
【特許請求の範囲】
【請求項１】
相関色温度の定義域内に色度座標を有し下方を照射する白色光源であって、前記相関色温度が互いに異なる３種類の白色光源と；
前記３種類の白色光源を種類ごとに調光制御可能な制御部と；
を具備する光源ユニット。
【請求項２】
前記３種類の白色光源は、
第１の相関色温度の第１の発光素子と、
前記第１の相関色温度よりも低い第２の相関色温度の第２の発光素子と、
前記第１の相関色温度および前記第２の相関色温度よりも低い第３の相関色温度の第３の発光素子と、
を有し、
前記第２の相関色温度は、前記第１の発光素子および前記第３の発光素子により再現可能な相関色温度の領域内に存在する請求項１記載の光源ユニット。
【請求項３】
第１の相関色温度の第１の光源と；
前記第１の光源よりも外側に設けられ前記第１の相関色温度とは異なる第２の光源と；
前記第１の光源および前記第２の光源のそれぞれを調光制御可能な制御部と；
を具備し、
前記第１の光源が放射する光に含まれる青色光の割合は、前記第２の光源が放射する光に含まれる青色光の割合よりも低い光源ユニット。
【請求項４】
前記第１の光源は、５８０ナノメートル以上の範囲にピーク波長を有し、
前記第２の光源は、５００ナノメートル以下の範囲にピーク波長を有する請求項３記載の光源ユニット。
【請求項５】
前記第１の光源の相対分光分布における全波長領域のエネルギーに占める５００ナノメートル以下の波長領域のエネルギーの割合は、１５パーセント以下であり、
前記第２の光源の相対分光分布における全波長領域のエネルギーに占める５００ナノメートル以下の波長領域のエネルギーの割合は、２５パーセント以上である請求項３または４に記載の光源ユニット。
【請求項６】
請求項１〜５のいずれか１つに記載の光源ユニットを具備する照明器具。
【発明の詳細な説明】
【技術分野】
【０００１】
本発明の実施形態は、光源ユニットおよび照明器具に関する。
【背景技術】
【０００２】
例えば、発光ダイオード（Light Emitting Diode：ＬＥＤ）等の発光素子を光源とする照明器具の開発が進められている。発光ダイオードを光源とする照明器具としては、例えば住宅の天井面等に取付けられるシーリングライトや、ベースライトや、電球形ＬＥＤなどが挙げられる。このような照明器具においては、単に周囲を明るく照らすだけではなく、生活様式の多様化に伴い生活シーンに合わせた適切な光空間を演出することが望まれている。例えば、より広い範囲の相関色温度を再現しつつ、発光効率の低下を抑えることが望まれている。あるいは、例えば、周囲の環境や光が生体に与える影響等を考慮し、使用者の快適性を充足する等の機能が望まれている。
【先行技術文献】
【特許文献】
【０００３】
【特許文献１】特開２０１３−９８０３８号公報
【発明の概要】
【発明が解決しようとする課題】
【０００４】
本発明の実施形態は、より広い範囲の相関色温度を再現しつつ発光効率の低下を抑えることができる、あるいは使用者の快適性を充足することができる光源ユニットおよび照明器具を提供する。
【課題を解決するための手段】
【０００５】
実施形態によれば、３種類の白色光源と；制御部と；を具備する光源ユニットが提供される。前記３種類の白色光源は、相関色温度の定義域内に色度座標を有し下方を照射する。前記３種類の白色光源の相関色温度は、互いに異なる。前記制御部は、前記３種類の白色光源を種類ごとに調光制御可能である。
【発明の効果】
【０００６】
本発明の実施形態によれば、より広い範囲の相関色温度を再現しつつ発光効率の低下を抑えることができる、あるいは使用者の快適性を充足することができる光源ユニットおよび照明器具が提供される。
【図面の簡単な説明】
【０００７】
【図１】図１（ａ）および図１（ｂ）は、実施形態にかかる光源ユニットを備える照明器具を表す模式的斜視図である。
【図２】実施形態にかかる照明器具を表す模式的分解図である。
【図３】図３（ａ）および図３（ｂ）は、実施形態にかかる光源ユニットを表す模式的平面図である。
【図４】実施形態にかかる光源ユニットの例を表す模式的平面図である。
【図５】実施形態の発光素子の仕様の例を表す表である。
【図６】実施形態にかかる光源ユニットの要部構成を表すブロック図である。
【図７】他の実施形態にかかる光源ユニットの例を表す模式的平面図である。
【図８】図８（ａ）および図８（ｂ）は、実施形態の発光素子が放射する光の相対分光分布を表すグラフ図である。
【発明を実施するための形態】
【０００８】
以下、実施の形態について図面を参照しながら説明する。図面中の同一部分には、同一番号を付してその詳しい説明は適宜省略し、異なる部分について説明する。なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
【０００９】
図１（ａ）および図１（ｂ）は、実施形態にかかる光源ユニットを備える照明器具を表す模式的斜視図である。  
図２は、実施形態にかかる照明器具を表す模式的分解図である。  
図３（ａ）および図３（ｂ）は、実施形態にかかる光源ユニットを表す模式的平面図である。  
図１（ａ）は、実施形態にかかる光源ユニットを備える照明器具の発光面側を表す模式的斜視図である。図１（ｂ）は、実施形態にかかる光源ユニットを備える照明器具の発光面とは反対側を表す模式的斜視図である。図３（ａ）は、実施形態にかかる光源ユニットの発光面側を表す模式的平面図である。図３（ｂ）は、図３（ａ）に表した領域Ａ１を拡大して眺めた模式的拡大図である。
【００１０】
図１（ａ）〜図３（ｂ）に表した照明器具１００は、器具取付面に設置された配線器具としての引掛けシーリングボディに取付けられて使用される一般家庭用のものである。図１（ａ）〜図３（ｂ）に表した照明器具１００は、基板に実装された複数の発光素子を有する光源部から放射される光によって室内の照明を行うものである。但し、実施形態にかかる照明器具は、これだけに限定されない。例えば、実施形態にかかる照明器具は、ベースライトや電球形ライトなどであってもよい。以下では、いわゆるシーリングライトを例に挙げて説明する。
【００１１】
図１（ａ）〜図３（ｂ）に表したように、実施形態にかかる照明器具１００は、光源ユニット２１０と、配光制御部１４０と、カバー１５０と、を備える。光源ユニット２１０は、電源部１１０と、器具本体１２０と、光源部１３０と、を有する。  
カバー１５０は、例えば、乳白色のアクリル樹脂成形体であり、光透過性を有する。カバー１５０の下面１５０ａは、発光面を形成する。
【００１２】
図１（ａ）〜図３（ｂ）に表した照明器具１００の外形は円形であるが、これに限定されるわけではない。例えば、照明器具１００の外形は、楕円または方形であってもよい。
【００１３】
電源部１１０は、冷間圧延鋼板等の金属材料の平板から成形されたシャーシを有する。電源部１１０のシャーシは、環状に組み合せられている。電源部１１０のシャーシの内部には、制御部１１５を含む回路部品１１６が設けられている（図２参照）。図１（ｂ）に表したように、電源部１１０は、上面１１０ａの中央に嵌合部１１１を有する。嵌合部１１１は、例えば、住宅の天井に設けられた接続器具（配線器具）としての引掛けシーリングボディに嵌合し、器具本体１２０を天井に固定する。嵌合部１１１には、引掛けシーリングボディを案内するアダプタガイド１１３が取り付けられている。
【００１４】
本願明細書においては、説明の便宜上、電源部１１０からみてカバー１５０の側を「下方」とし、カバー１５０からみて電源部１１０の側を「上方」とする。これは、他の構成要素においても同様である。
【００１５】
器具本体１２０は、例えば、冷間圧延鋼板等の金属材料の平板を成形したシャーシである。器具本体１２０の略中央部には、アダプタガイド１１３を通す穴１２１が形成されている。
【００１６】
光源部１３０は、基板１３１と、複数の発光素子（光源）１３３と、を有し、接続部を介して電源部１１０と分離可能に設けられる。発光素子１３３は、基板１３１の下面１３１ａに設けられる。基板１３１は、所定の幅寸法を有した略円弧状の２枚の基板が繋ぎ合わされた構造を有し、全体として略環状に形成されている。つまり、全体として略環状に形成された基板１３１は、２枚の分割された基板を有する。複数の分割された基板１３１は、基板１３１の内側において電線１３５などを介してコネクタ（電気接続部）ＣＮにより電気的に接続されている。基板１３１は、器具本体１２０の下面１２０ａに固定される。なお、基板１３１は、４枚の分割された基板を有していてもよい。
【００１７】
分割された基板を用いることにより、基板１３１の分割部で熱的収縮を吸収して基板１３１の変形を抑制することができる。なお、複数に分割された基板を用いることが好ましいが、略環状状に一体的に形成された一枚の基板が用いられてもよい。さらに、特定の基板１３１の内周側には、電源供給部１３７が設けられている。電源供給部１３７は、具体的にはコネクタＣＮである。点灯装置と電気接続される出力線Ｗが電源供給部１３７に接続され、基板１３１の配線パターンを介して複数の発光素子１３３に電力が供給される。
【００１８】
基板１３１の下面１３１ａには、発光素子１３３の放射光を反射する部材が塗布される。例えば、基板１３１の下面１３１ａには、酸化チタン等を分散した樹脂が塗布される。基板１３１の下面１３１ａに反射部材が塗布されることにより、器具本体１２０の中央部における輝度の低下を防ぐことができる。
【００１９】
基板１３１は、例えば、ガラスエポキシ樹脂などの絶縁性基板と、銅箔を用いて形成された配線と、を有する。反射部材は、発光素子１３３が配設された部分を除いた基板１３１の下面１３１ａに塗布される。すなわち、基板１３１は、反射部材により隠された配線を有し、複数の発光素子１３３を電気的に接続する。
【００２０】
発光素子１３３は、ＬＥＤ（Light Emitting Diode）である。発光素子１３３は、表面実装型のＬＥＤパッケージである。図３（ａ）および図３（ｂ）に表したように、ＬＥＤパッケージは、複数（図３（ａ）の例では２枚）のサークル状の基板１３１の周方向に沿って実装されている。また、ＬＥＤパッケージは、半径の異なる略同心円の周上に複数列（図３（ａ）の例では２列）に亘って実装されている。つまり、ＬＥＤパッケージは、内周側の列（第１の列）１３９ａおよび外周側の列（第２の列）１３９ｂに亘って実装されている。
【００２１】
ＬＥＤパッケージは、概略的にはセラミックスや合成樹脂で形成されたキャビティに配設されたＬＥＤチップと、ＬＥＤチップを封止するエポキシ系樹脂やシリコーン樹脂等のモールド用の透光性樹脂と、を有する。
【００２２】
実施形態の光源部１３０は、複数の種類の発光素子１３３を有する。より具体的には、実施形態の光源部１３０は、互いに相関色温度の異なる３種類の発光素子１３３を有する。内周側の列１３９ａに実装されているＬＥＤパッケージには、相関色温度が約６５００ケルビン（Ｋ）程度（第１の相関色温度）の第１の発光素子（第１の光源）１３３ａと、相関色温度が約３０００Ｋ程度（第２の相関色温度）の第２の発光素子（第２の光源）１３３ｂと、相関色温度が約２０００Ｋ程度（第３の相関色温度）の第３の発光素子（第３の光源）１３３ｃと、が用いられている。第１の発光素子１３３ａは、昼光色（Ｄ）の光を放射する。第２の発光素子１３３ｂは、電球色（Ｌ）の光を放射する。
【００２３】
第１の発光素子１３３ａ、第２の発光素子１３３ｂ、および第３の発光素子１３３ｃは、円周上に順次、第１の発光素子１３３ａ、第２の発光素子１３３ｂ、および第３の発光素子１３３ｃと連続的に略等間隔を空けて配置されている。ＬＥＤチップは、青色光を放射するＬＥＤチップである。透光性樹脂には、蛍光体が混入されている。電球色（Ｌ）および昼光色（Ｄ）の昼光色系の光を放射できるようにするために、蛍光体として、主として青色の光とは補色の関係にある黄色系の光を放射する黄色蛍光体や赤み成分を補うため赤色蛍光体が用いられている。外周側の列１３９ｂのＬＥＤパッケージの実装形態は、内周側の列１３９ａのＬＥＤパッケージの実装形態と同様である。
【００２４】
本願明細書においては、説明の便宜上、相関色温度が約６５００Ｋ程度の第１の発光素子１３３ａと、相関色温度が約３０００Ｋ程度の第２の発光素子１３３ｂと、相関色温度が約２０００Ｋ程度の第３の発光素子１３３ｃと、の少なくともいずれかを「白色光源」あるいは「主光源」と称する。言い換えれば、「白色光源」および「主光源」とは、相関色温度の定義域内に色度座標を有し、主に下方を照射する光源をいう。
【００２５】
なお、第１の発光素子１３３ａ、第２の発光素子１３３ｂ、および第３の発光素子１３３ｃの配列は、特定されず順不同でもよく、例えば、第２の発光素子１３３ｂ、第１の発光素子１３３ａ、第３の発光素子１３３ｃの順に配列してもよい。また、隣り合う発光素子は、互いに異なる相関色温度の光を放射することが好ましいが、格別限定されるものではない。一例としては、第１の発光素子１３３ａ、第１の発光素子１３３ａ、第２の発光素子１３３ｂ、第２の発光素子１３３ｂ、第３の発光素子１３３ｃ、および第３の発光素子１３３ｃのように同色の光を放射する発光素子を２個ずつ連続的に配置することも可能である。
【００２６】
制御部１１５は、発光素子１３３の種類ごとの調光制御（個別制御）を行うことができる。制御部１１５の調光制御の詳細については、後述する。
【００２７】
配光制御部１４０は、器具本体１２０に固定され、発光素子１３３、並びに、分割された複数の基板１３１の間の電気接続部および電源供給部を覆う。配光制御部１４０の材料は、例えば樹脂を含む。配光制御部１４０は、光源部（充電部）１３０の全体を覆う。そのため、配光制御部１４０は、光源部１３０を保護する機能を有する。なお、配光制御部１４０の内周側には基板１３１の電気接続部および電源供給部に対応した凸部１４５が形成されている。凸部１４５は、環状方向である周方向にコネクタ寸法よりも長い寸法に形成されている。すなわち、配光制御部１４０は、回動させることによって器具本体１２０に着脱する構造であるため、配光制御部１４０の回動の際に電気接続部ＣＮおよび電線１３５と干渉しないように周方向にコネクタ寸法よりも長い凸部１４５を有する。
【００２８】
図２に表したように、配光制御部１４０は、レンズ部１４１を有する。レンズ部１４１は、第１の部分１４１ａと、第２の部分１４１ｂと、を有する。第１の部分１４１ａは、内周側の列１３９ａの発光素子１３３を覆い、内周側の列１３９ａの発光素子１３３の配光を制御する。第２の部分１４１ｂは、外周側の列１３９ｂの発光素子１３３を覆い、外周側の列１３９ｂの発光素子１３３の配光を制御する。つまり、実施形態の配光制御部１４０は、各列に配設された発光素子１３３の配光を、列ごとに独立に制御する。
【００２９】
これにより、カバー１５０の下面（発光面）１５０ａにおける色むらおよび輝度むらを軽減し、色度および輝度の均一化を図ることができる。
【００３０】
実施形態にかかる光源ユニット２１０について、図面を参照しつつさらに説明する。    図４は、実施形態にかかる光源ユニットの例を表す模式的平面図である。  
図５は、実施形態の発光素子の仕様の例を表す表である。  
図６は、実施形態にかかる光源ユニットの要部構成を表すブロック図である。  
図４は、実施形態にかかる光源ユニットを発光面の側から眺めた模式的平面図である。
【００３１】
図４および図５に表した例では、３４個の第１の発光素子１３３ａが設けられている。つまり、１７個の第１の発光素子１３３ａが内周側の列１３９ａに設けられ、１７個の第１の発光素子１３３ｂが外周側の列１３９ｂに設けられている。第２の発光素子１３３ｂの配置形態および第３の発光素子１３３ｃの配置形態は、第１の発光素子１３３ａの配置形態と同様である。第１の発光素子１３３ａ、第２の発光素子１３３ｂ、および第３の発光素子１３３ｃのそれぞれの他の仕様は、図５に表した表の通りである。但し、第１の発光素子１３３ａ、第２の発光素子１３３ｂ、および第３の発光素子１３３ｃのそれぞれの仕様は、これだけには限定されない。
【００３２】
図６に表したように、電源部１１０は、商用交流電源ＡＣに接続される。光源部１３０は、電源部１１０に接続される。  
電源部１１０は、直流電源として機能し、商用交流電源ＡＣを受けて直流出力を生成する。光源部１３０は、図１（ａ）〜図３（ｂ）に関して前述した通りである。
【００３３】
間接光光源部１６０は、図１（ｂ）に表したように、器具本体１２０の背面側（上側）に配設され、主として天井面を照らす機能を有する。間接光光源部１６０は、嵌合部１１１の周囲に複数設けられ、基板１６１と、複数の発光素子１６３と、を有する。基板１６１は、例えば略長方形状の平板に形成されている。発光素子１６３は、基板１６１の長手方向に沿って略直線状に並べられ基板１６１に実装されている。発光素子１６３の相関色温度は、約３０００Ｋ程度である。発光素子１６３は、電球色（Ｌ）の光を放射する。
【００３４】
間接光光源部１６０は、電源部１１０の上部の側壁の４箇所に取り付けられている。より具体的には、図１（ｂ）に表したように、電源部１１０の上部は、略四角形の形成されている。間接光光源部１６０は、略四角形の形状を呈する電源部１１０の上部の側壁に取り付けられている。４箇所に取り付けられた間接光光源部１６０のそれぞれは、カバー１６５に覆われている。
【００３５】
制御部１１５は、設定情報入出力部１１５ａと、調光制御手段１１５ｂと、記憶手段１１５ｃと、を有する。調光制御手段１１５ｂは、設定情報入出力部１１５ａに接続されている。記憶手段１１５ｃは、設定情報入出力部１１５ａに接続されている。設定情報入出力部１１５ａには、リモコン信号受信部１２７が接続されている。記憶手段１１５ｃには、モード記憶部１１８ａが設けられている。
【００３６】
調光制御手段１１５ｂには、ＰＷＭ制御回路１１７ａと、スイッチング制御回路１１７ｂと、が設けられている。スイッチング制御回路１１７ｂは、ＰＷＭ制御回路１１７ａに接続されている。図６に表したように、ＰＷＭ制御回路１１７ａおよびスイッチング制御回路１１７ｂは、第１の発光素子１３３ａと、第２の発光素子１３３ｂと、第３の発光素子１３３ｃと、間接光光源部１６０の発光素子１６３と、のそれぞれに対して設けられている。つまり、４個のＰＷＭ制御回路１１７ａおよび４個のスイッチング制御回路１１７ｂが設けられている。
【００３７】
これにより、制御部１１５は、光源部１３０と、間接光光源部１６０と、を独立して制御可能である。また、制御部１１５は、発光色ごとの調光制御（個別制御）が可能となっている。したがって、光源部１３０については、発光色ごとの調光比を調整して発光色ごとの光出力を可変し、相関色温度が約６５００Ｋ程度の第１の発光素子１３３ａと、相関色温度が約３０００Ｋ程度の第２の発光素子１３３ｂと、相関色温度が約２０００Ｋ程度の第３の発光素子１３３ｃと、の発光色を混色して所望の発光色を表現することができる（個別制御モード）。例えば、使用者は、リモコン送信器１８０を操作することにより、発光色ごとの調光比を調整して発光色ごとの光出力を変更することができる。
【００３８】
ここで、本発明者の得た知見によれば、青色光を含む光は、メラトニン分泌を抑制する。そのため、使用者が青色光を含む光を受けると、入眠潜時が長くなることがある。つまり、入眠が阻害されることがある。そこで、光源ユニット２１０および照明器具１００に対して、より広い範囲の相関色温度を再現することが望まれる。しかし、より広い範囲の相関色温度を再現するためには、例えば２種類の白色光源が設けられている場合において、一方の白色光源の相関色温度と、他方の白色光源の相関色温度と、の間の差をより大きくする必要がある。すると、発光効率が低下する。
【００３９】
より具体的には、光源の視感効率は、ＣＩＥ（国際照明委員会）標準比視感度により重みづけされる。ＣＩＥ標準比視感度によれば、明所視では波長が５５５ナノメートル（ｎｍ）の光において視感度が最大となる。そのため、比較的多くの相対エネルギーが長波長の側に分布する低色温度のＬＥＤの発光効率は、一般的に低い。
【００４０】
例えば、相関色温度が２２００Ｋで、光束量が１０００ルーメン（ｌｍ）の光を実現する場合を想定する。この場合には、制御部１１５は、６５００Ｋの光源と２０００Ｋの光源とを、１．５：８．５の光束比で調光する。すると、２２００Ｋの光は、２０ワット（Ｗ）の電力を消費する。また、発光効率は、５０ｌｍ／Ｗとなる。
【００４１】
これに対して、実施形態にかかる光源ユニット２１０は、互いに相関色温度の異なる３種類の発光素子１３３を有する。図４および図５に表した例では、光源ユニット２１０は、相関色温度が約６５００Ｋ程度の第１の発光素子１３３ａと、相関色温度が約３０００Ｋ程度の第２の発光素子１３３ｂと、相関色温度が約２０００Ｋ程度の第３の発光素子１３３ｃと、を有する。この場合において、相関色温度が２２００Ｋで、光束量が１０００ルーメン（ｌｍ）の光を実現するときには、制御部１１５は、６５００Ｋの光源と３０００Ｋの光源と２０００Ｋの光源とを、０．５：３．０：６．５の光束比で調光する。すると、２２００Ｋの光は、１７Ｗの電力を消費する。また、発光効率は、５８ｌｍ／Ｗとなる。これにより、光源ユニットが互いに相関色温度の異なる３種類の発光素子を有する場合の発光効率は、光源ユニットが互いに相関色温度の異なる２種類の発光素子を有する場合の発光効率よりも高い。
【００４２】
実施形態によれば、光源ユニット２１０は、２種類の発光素子（実施形態では第１の発光素子１３３ａおよび第３の発光素子１３３ｃ）により再現可能な相関色温度の領域内に、３種類目の発光素子（実施形態では第２の発光素子１３３ｂ）を有する。そのため、実施形態にかかる光源ユニット２１０および照明器具１００は、より広い範囲の相関色温度を再現しつつ発光効率の低下を抑えることができる。
【００４３】
次に、他の実施形態について、図面を参照しつつ説明する。  
図７は、他の実施形態にかかる光源ユニットの例を表す模式的平面図である。  
図８（ａ）および図８（ｂ）は、実施形態の発光素子が放射する光の相対分光分布を表すグラフ図である。  
図７は、実施形態にかかる光源ユニットを発光面の側から眺めた模式的平面図である。  図８（ａ）は、第１の発光素子の相対分光分布を例示するグラフ図である。図８（ｂ）は、第２の発光素子の相対分光分布を例示するグラフ図である。
【００４４】
図７に表したように、実施形態にかかる光源ユニット２１０ａの光源部１３０ａは、互いに相関色温度の異なる２種類の発光素子１３３を有する。内周側の群１３８ａに実装されているＬＥＤパッケージには、相関色温度が約２７００Ｋ程度の第１の発光素子（第１の光源）１３３ｄが用いられている。内周側の群１３８ａには、第１の列１３４ａと第２の列１３４ｂとが設けられている。第１の列１３４ａおよび第２の列１３４ｂは、互いに半径の異なる略同心円を形成する。第２の列１３４ｂの半径は、第１の列１３４ａの半径よりも大きい。第１の発光素子１３３ｄは、第１の列１３４ａおよび第２の列１３４ｂに亘って実装されている。
【００４５】
外周側の群１３８ｂに実装されているＬＥＤパッケージには、相関色温度が約５０００Ｋ程度の第２の発光素子（第２の光源）１３３ｅが用いられている。外周側の群１３８ｂには、第３の列１３４ｃと第４の列１３４ｄとが設けられている。第１の列１３４ａ、第２の列１３４ｂ、第３の列１３４ｃ、および第４の列１３４ｄは、互いに半径の異なる略同心円を形成する。第３の列１３４ｃの半径は、第２の列１３４ｂの半径よりも大きい。第４の列１３４ｄの半径は、第３の列１３４ｃの半径よりも大きい。第２の発光素子１３３ｅは、第３の列１３４ｃおよび第４の列１３４ｄに亘って実装されている。
【００４６】
図８（ａ）に表したように、第１の発光素子１３３ｄは、５８０ｎｍ以上の範囲にピーク波長を有する。第１の発光素子１３３ｄの相対分光分布において、全波長領域のエネルギーに占める５００ｎｍ以下の波長領域のエネルギーＥ１の割合は、１５パーセント（％）以下である。図８（ａ）に表したグラフ図の例では、全波長領域のエネルギーに占める５００ｎｍ以下の波長領域のエネルギーＥ１の割合は、約１０％程度である。
【００４７】
図８（ｂ）に表したように、第２の発光素子１３３ｅは、５００ｎｍ以下の範囲にピーク波長を有する。第２の発光素子１３３ｅの相対分光分布において、全波長領域のエネルギーに占める５００ｎｍ以下の波長領域のエネルギーＥ２の割合は、２５％以上である。図８（ｂ）に表したグラフ図の例では、全波長領域のエネルギーに占める５００ｎｍ以下の波長領域のエネルギーＥ２の割合は、約３４％程度である。
【００４８】
例えば、制御部１１５は、全ての第１の発光素子１３３ｄおよび全ての第２の発光素子１３３ｅの光出力を最大にして発光色を混色する全光状態から相関色温度が約２７００Ｋ程度の第１の発光素子１３３ｄを徐々に減光する制御を実行する。すると、全光状態の発光色は、徐々に青色成分の比較的少ないオレンジ色に近づく。続いて、発光面が中心部に向かって小さくなっていく。これにより、混光に含まれる青色光の成分を相対的に低減し、在室者のメラトニン抑制度を低減することで快眠を促すことができる。
【００４９】
このように、第１の発光素子１３３ｄの青色光の成分は、第２の発光素子１３３ｅの青色光の成分よりも少ない。言い換えれば、第１の発光素子１３３ｄが放射する光に含まれる青色光の割合は、第２の発光素子１３３ｅが放射する光に含まれる青色光の割合よりも低い。
【００５０】
これによれば、互いに異なる相対分光分布を有する光源（実施形態では第１の発光素子１３３ｄおよび第２の発光素子１３３ｅ）を配置し個別に制御可能とすることで、様々な光のシーンを演出することができる。光源ユニット２１０ａの中心部に設置された第１の発光素子１３３ｄの数は、光源ユニット２１０ａの周縁部に設置された第２の発光素子１３３ｅの数よりも少ない。そのため、低コスト化を実現することができ、また、色ムラの発生を抑えることができる。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１００ 照明器具、  １１０ 電源部、  １１０ａ 上面、  １１１ 嵌合部、  １１３ アダプタガイド、  １１５ 制御部、  １１５ａ 設定情報入出力部、  １１５ｂ 調光制御手段、  １１５ｃ 記憶手段、  １１６ 回路部品、  １１７ａ ＰＷＭ制御回路、  １１７ｂ スイッチング制御回路、  １１８ａ モード記憶部、  １２０ 器具本体、  １２０ａ 下面、  １２１ 穴、  １２７ リモコン信号受信部、  １３０、１３０ａ 光源部、  １３１ 基板、  １３１ａ 下面、  １３３ 発光素子、  １３３ａ 第１の発光素子、  １３３ｂ 第２の発光素子、  １３３ｃ 第３の発光素子、  １３３ｄ 第１の発光素子、  １３３ｅ 第２の発光素子、  １３４ａ 第１の列、  １３４ｂ 第２の列、  １３４ｃ 第３の列、  １３４ｄ 第４の列、  １３５ 電線、  １３７ 電源供給部、  １３８ａ 第１の群、  １３８ｂ 第２の群、  １３９ａ 内周側の列、  １３９ｂ 外周側の列、  １４０ 配光制御部、  １４１ レンズ部、  １４１ａ 第１の部分、  １４１ｂ 第２の部分、  １４５ 凸部、  １５０ カバー、  １５０ａ 下面、  １６０ 間接光光源部、  １６１ 基板、  １６３ 発光素子、  １６５ カバー、  １８０ リモコン送信器、  ２１０、２１０ａ 光源ユニット
【図１】
2015170417.tif 000003
【図２】
2015170417.tif 000004
【図３】
2015170417.tif 000005
【図４】
2015170417.tif 000006
【図５】
2015170417.tif 000007
【図６】
2015170417.tif 000008
【図７】
2015170417.tif 000009
【図８】
2015170417.tif 000010